(57)【要約】【課題】液拡散シートにおける排泄液を繰り返し拡散させる能力を確保して、吸収体全体を有効に活用して排泄液の吸収能力を向上させることができる吸収性物品を得る。【解決手段】液透過性シート１１を、該液透過性シート１１における前記吸収体４とは反対側の面に、該吸収体４とは反対側の方向に立ち上がる複数の隆起部１１ａと、隣り合う隆起部１１ａ，１１ａの間に設けられた複数の凹部１１ｂとを有していると共に、前記吸収体４と液不透過性シート１３との間に、該吸収体４の長手方向に延びる液拡散シート１３を配設し、該液拡散シート１３を、該液拡散シート１３の長手方向の少なくとも一端側に、前記吸収体４の長手方向の端部より該吸収体４の外方側に延びて、液拡散シート１３に含まれている水分を外部に蒸散させる蒸散部２０，２１を備えた構成とする。【選択図】図３
2015066374.tif 000002
【特許請求の範囲】
【請求項１】
液透過性シートと、該液透過性シートの一面側に配設された液不透過性シートと、これらの液透過性シートと液不透過性シートとの間に配設された、一方向に長い吸収体とを備えた吸収性物品であって、
前記液透過性シートは、前記該液透過性シートにおける前記吸収体とは反対側の面に設けられた、該吸収体とは反対側の方向に立ち上がる複数の隆起部と、隣り合う隆起部の間に設けられた凹部とを有していると共に、
前記吸収体と液不透過性シートとの間に、該吸収体の長手方向に延びる液拡散シートが配設されていて、該液拡散シートは、該液拡散シートの長手方向の少なくとも一端側に、前記吸収体の長手方向の端部より該吸収体の外方側に延びて、液拡散シートに含まれている水分を外部に蒸散させる蒸散部を備えている、吸収性物品。
【請求項２】
前記液拡散シートは、長手方向の両端部に前記蒸散部がそれぞれ形成されていている、請求項１に記載の吸収性物品。
【請求項３】
前記液透過性シートは、前記吸収体の長手方向の端部より該吸収体の外方側に延びる延出領域を備えていて、該延出領域と前記液拡散シートの蒸散部と相互に接合されている、請求項１又は請求項２に記載の吸収性物品。
【請求項４】
前記液透過性シートの延出領域と前記液拡散シートの蒸散部とがエンボス加工により相互に接合されている、請求項３に記載の吸収性物品。
【請求項５】
前記液拡散シートの蒸散部は、該蒸散部を交互に逆方向に曲げることにより形成された、前記液拡散シートの長手方向に延びる複数の襞状部を備えている、請求項１〜４のいずれか１項に記載の吸収性物品。
【請求項６】
前記液透過性シートは、少なくとも前記液透過性シートと接する部分に、該液透過性シートを交互に逆方向に曲げることにより形成された、前記液拡散シートの長手方向に延びる複数の襞状部を備えている請求項１〜５のいずれか１項に記載の吸収性物品。
【請求項７】
前記液不透過性シートは、透湿度が３００ｇ／ｍ2・２４ｈ以上である、請求項１〜６のいずれか１項に記載の吸収性物品。
【請求項８】
前記液拡散シートは、セルロース繊維を含むスパンレース不織布により形成されている、請求項１〜７のいずれか１項に記載の吸収性物品。
【請求項９】
前記液拡散シートは、坪量が３０〜５０ｇ／ｍ2である、請求項１〜８のいずれか１項に記載の吸収性物品。
【請求項１０】
前記液拡散シートは、クレム法による吸水度試験において、人工尿の５分後の吸液高さが１２０ｍｍ以上であり、吸水倍率が２．０倍以上である、請求項１〜９のいずれか１項に記載の吸収性物品。
【請求項１１】
前記吸収性物品は、着用者の腹側の胴回りを覆う腹側胴回り部と、背側の胴回りを覆う背側胴回り部と、これら腹側胴回り部と背側胴回り部との間に設けられた股部とを有する被覆部を備えた使い捨ておむつであって、前記吸収体は、該被覆部における着用者の肌側に配設されていて、腹側胴回り部から股部を通って背側胴回り部の方向に長く形成されている、請求項１〜１０のいずれか１項に記載の吸収性物品。
【請求項１２】
前記被覆部は、前記腹側胴回り部又は背側胴回り部のうちのいずれか一方側に設けられた、前記吸収体の短手方向の外側に向けて延出させたファスニングテープと、他方側に設けられた、該ファスニングテープが着脱自在に止着されるテーゲットテープとを有していて、前記ターゲットテープは不織布により形成されている、請求項１１に記載の吸収性物品。
【発明の詳細な説明】
【技術分野】
【０００１】
本発明は、使い捨てのおむつや生理用ナプキン、失禁パッド等の吸収性物品に関するものであり、さらに詳しくは、通気性に優れた吸収性物品に関するものである。
【背景技術】
【０００２】
吸収性物品として、例えば尿などの排泄液を吸収する使い捨てのおむつは、着用者の肌側に位置する液透過性シート（いわゆるトップシート）と、衣服側に位置する液不透過性シート（いわゆるバックシート）と、これらの液透過性シートと液不透過性シートとの間に設けられた吸収体とを備えているのが一般的である。
このようなおむつは、実際に着用したとき、紙おむつの中の吸収体は、着用者の体に沿って略Ｕ形に湾曲し、腹側から股部、背側に及んでいるのが通常である。
【０００３】
このとき、排泄液を主に受ける部分であるおむつの股部は最も低い位置にある一方で、腹側及び背側は股部よりも高い位置にある。そのため、なんら対策を施さない場合、排泄液がおむつに排出されると、該排泄液は股部にその大部分が吸収・保持される一方で、排泄液が腹側や背側に拡散することはほとんどない。
したがって、吸収体のうち、実際に活用されるのは股部のみであり、他の腹側や背側については有用に活用されず、排泄液に対して所望の吸収・保持量が得られていないのが実情である。
【０００４】
この問題を解消すべく、例えば特許文献１に記載されているような、吸収体の液透過性シート側で吸収しきれなかった排泄液を、該吸収体の液不透過性シート側に配設した液拡散シートで吸収すると共に、該液拡散シートが吸収した排泄液を吸収体の液不透過性シート側に拡散させて、液不透過性シート側から吸収体に吸収・保持させるものが知られている。
この特許文献１に記載の技術は、使用されにくい吸収体の液不透過性シート側を利用すると共に、排泄液を吸収体の腹側や背側まで拡散させることで、吸収体の排泄液の吸収領域を増加させ、排泄液の吸収速度及び保持量を高めようとするものである。
【０００５】
通常、前記液拡散シートを備えたおむつにおいて、該液拡散シートによる排泄液の拡散は次のような仕組みで行われる。
即ち、着用者からの排泄液は、主に吸収体の股部に供給されるため、該股部の吸収体の液拡散シート側から液不透過性シート側に向けて移動する。そして、移動中において該吸収体に吸収、保持されなかった排泄液は液不透過性シート側に達し、その液不透過性シート側に達した排泄液は、前記液拡散シートに吸収されると共に、該液拡散シート内を多方向に移動する。
このとき、前記液拡散シートは、吸収体の長手方向、つまり吸収体の腹側から背側への方向に沿って延びているため、液拡散シートに吸収された排泄液は、主に吸収体の腹側や背側に移動する。そして、液拡散シートにおける吸収体の腹側や背側に移動した排泄液は、吸収体の液不透過性シート側に移動して、吸収、保持されることとなる。
この結果、排泄液を吸収体の腹側や背側まで拡散され、吸収体全体を排泄液の吸収に利用することができる。
【０００６】
ところで、前記液拡散シートは、着用者からの排泄液を、吸収体の股部の液不透過性シート側から一旦吸収した後、該吸収体の腹側や背側に拡散させて再度該吸収体の腹側や背側に移動させることにより、排泄液の吸収・拡散能力を再度回復させることが可能となっている。
これにより、着用者が複数回排泄したとしても、液拡散シートの吸収・拡散能力が回復する限りは、排泄液を吸収体の腹側や背側に排泄液を拡散することが可能となる。
【０００７】
ここで、前記液拡散シートにより吸収体の腹側や背側に向けて排泄液を拡散させ続けると、液拡散シートから吸収体に移動する排泄液の量が低下していくため、液拡散シートが保持している排泄液がなかなか吸収体の方に吸収されず、液拡散シートの吸収・拡散能力の回復が遅くなる傾向にある。しかし、この場合において、吸収体において排泄液の吸収、保持に使用されている部分は、該吸収体の腹側や背側の液透過性シートと接している部分あるいはその近傍部分のみである場合がほとんどであり、実際には、吸収体のより内部側の部分は排泄液の吸収、保持にあまり使用されていない可能性が高い。したがって、吸収体全体としては、排泄液の吸収・保持能力にはまだ余力がある場合が多い。
そのため、吸収体全体を排泄液の吸収・保持に有効に使用するためには、液透過性シートの吸収・拡散能力をできるだけ早期に回復させて、吸収体の腹側や背側に排泄液を順次拡散、吸収させることができる状態を維持できるようにすることが好ましい。
【０００８】
しかしながら、前記おむつは、着用者の腹回りや、太もも回りあるいは股回り（足ぐり）は肌に密着しているため、通常、着用者から排泄液が排出されると、着用者とおむつとの間（特に着用者と液不透過性シートとの間）の内部空間は大幅に湿度が高くなり、しかも湿気がこもった状態となる。
そうすると、液透過性シートは、該液透過性シートが保持している排泄液を吸収体が吸収しない限りは、吸収・拡散能力はほとんど回復することはなく、逆に湿気が吸収されることで吸収・拡散能力の回復を阻害する可能性がある。
したがって、前記吸収体は一部分のみが排泄液の吸収・保持に使用されるに留まり、これにより、所望の吸収・保持量が得られず、吸収しきれなかった排泄液がおむつから漏れ出すこともあり得る。
【０００９】
前記特許文献１に記載のおむつについても、液拡散シートが着用者と液不透過性シートとの間の内部空間内に収まっていることから、着用時には該内部空間内の環境の影響を大きく受けることになる。
したがって、前記液拡散シートの吸収・拡散能力が回復しづらい、あるいは回復速度が遅くなる等の問題が生じ、前記液拡散シートの吸収、拡散機能を早期に回復させることが困難となる可能性がある。これにより、吸収体全体を有効に活用することができずに、排泄液が漏れ出すことが考えられる。
【先行技術文献】
【特許文献】
【００１０】
【特許文献１】特開２００８−２８４１６７号公報
【発明の概要】
【発明が解決しようとする課題】
【００１１】
本発明の技術的課題は、液拡散シートにおける排泄液を繰り返し拡散させる能力を確保して、吸収体全体を有効に活用して排泄液の吸収能力を向上させることができる吸収性物品を提供することにある。
【課題を解決するための手段】
【００１２】
上記課題を解決するため、本発明の吸収性物品は、液透過性シートと、該液透過性シートの一面側に配設された液不透過性シートと、これらの液透過性シートと液不透過性シートとの間に配設された、一方向に長い吸収体とを備えた吸収性物品であって、該液透過性シートにおける前記吸収体とは反対側の面に、該吸収体とは反対側の方向に立ち上がる複数の隆起部と、隣り合う隆起部の間に設けられた複数の凹部とを有していると共に、前記吸収体と液不透過性シートとの間に、該吸収体の長手方向に延びる液拡散シートが配設されていて、該液拡散シートは、該液拡散シートの長手方向の少なくとも一端側に、前記吸収体の長手方向の端部より該吸収体の外方側に延びて、液拡散シートに含まれている水分を外部に蒸散させる蒸散部を備えているものである。
【００１３】
本発明においては、前記液拡散シートは、長手方向の両端部に前記蒸散部がそれぞれ形成されているものとすることができる。
【００１４】
また、本発明においては、前記液透過性シートは、前記吸収体の長手方向の端部より該吸収体の外方側に延びる延出領域を備えていて、該延出領域と前記液拡散シートの蒸散部と相互に接合されているものとすることができる。
この場合、前記液透過性シートの延出領域と前記液拡散シートの蒸散部とがエンボス加工により相互に接合されているものとすることができる。
【００１５】
本発明においては、前記液拡散シートの蒸散部は、該蒸散部を交互に逆方向に曲げることにより形成された、前記液拡散シートの長手方向に延びる複数の襞状部を備えているものとすることができる。
また、本発明においては、前記液透過性シートは、少なくとも前記液透過性シートと接する部分に、該液透過性シートを交互に逆方向に曲げることにより形成された、前記液拡散シートの長手方向に延びる複数の襞状部を備えているものとすることができる。
【００１６】
本発明においては、前記液不透過性シートは、透湿度が３００ｇ／ｍ2・２４ｈ以上であることが好ましい。
【００１７】
本発明においては、前記液拡散シートは、セルロース繊維を含むスパンレース不織布により形成されているものとすることができる。
また、本発明においては、前記液拡散シートは、坪量が３０〜５０ｇ／ｍ2であるものとすることができる。
さらに、本発明においては、前記液拡散シートは、クレム法による吸水度試験において、人工尿の５分後の吸液高さが１２０ｍｍ以上であり、吸水倍率が２．０倍以上であるものとすることが好ましい。
【００１８】
本発明においては、前記吸収性物品は、着用者の腹側の胴回りを覆う腹側胴回り部と、背側の胴回りを覆う背側胴回り部と、これら腹側胴回り部と背側胴回り部との間に設けられた股部とを有する被覆部を備えた使い捨ておむつであって、前記吸収体は、該被覆部における着用者の肌側に配設されていて、腹側胴回り部から股部を通って背側胴回り部の方向に長く形成されているものとすることできる。
この場合において、前記被覆部は、前記腹側胴回り部又は背側胴回り部のうちのいずれか一方側に設けられた、前記吸収体の短手方向の外側に向けて延出させたファスニングテープと、他方側に設けられた、該ファスニングテープが着脱自在に止着されるテーゲットテープとを有していて、前記ターゲットテープは不織布により形成されているものとするのが好ましい。
【発明の効果】
【００１９】
本発明によれば、吸収体と液不透過性シートとの間に設けられた液拡散シートが、該液拡散シートの長手方向の少なくとも一端側に、前記吸収体の長手方向の端部より該吸収体の外方側に延びて、液拡散シートに含まれている水分を外部に蒸散させる蒸散部を備えている。したがって、液拡散シートは、この蒸散部を通じて、含有している水分の一部を吸収体ではなく外部に放出することができるため、着用者と吸収性物品の液不透過性シートとの間の内部空間の環境に左右されることなく、吸収・拡散能力を早期に回復させることができる。
しかも、前記液透過性シートは、該液透過性シートにおける前記吸収体とは反対側の面に、該吸収体とは反対側の方向に立ち上がり、且つ該吸収体の長手方向に沿う方向に延びる複数の隆起部と、隣接する隆起部の間に設けられた複数の凹部とを有している。
そのため、着用時には、前記隆起部が着用者の肌に接することにより、前記凹部を通じて前記液拡散シートの蒸散部による水分の外部への蒸散を一層効率よく行わせることができ、これにより、液拡散シートにおける排泄液の吸収、拡散能力をより効果的に且つ早期に回復させることができる。
したがって、液透過性シートが排泄液を吸収・拡散できる状態を安定的に維持することができ、排泄液の吸収・保持について吸収体全体を有効に使用することが可能となる。
【図面の簡単な説明】
【００２０】
【図１】図１は本発明に係る吸収性物品の一実施の形態を模式的に示す一部破断斜視図である。ただし、液透過性シート側からみた状態を示す。
【図２】図２は図１とは異なる方向からみた一部破断斜視図である。ただし、被覆部側からみた状態を示す。
【図３】図３は本発明に係る吸収性物品の一実施の形態を模式的に示す平面図である。
【図４】図４は図３のＡ−Ａ’線における要部拡大端面図である。
【図５】図５は図４の要部拡大端面図である。ただし、被覆シートは省略している。
【図６】図６は図３のＢ−Ｂ’線における要部拡大断面図である。ただし、液透過性シートの隆起部及び凹部、さらに被覆シートは省略している。
【図７】図７は吸収性物品の短手方向の中心部分で切断した端面図である。ただし、全体として湾曲した状態（着用者が着用したときの状態）を示す。
【図８】図８は本発明に係る吸収性物品における、排泄液あるいは水分の移動を説明する図である。ただし、図中白抜きの矢印は排泄液の移動方向、破線による矢印は蒸散した水分の移動方向である。
【発明を実施するための形態】
【００２１】
図１〜図８は、本発明の吸収性物品の一実施の形態を示すもので、この実施の形態においては、吸収性物品として使い捨てのおむつの場合について説明する。
即ち、この実施の形態のおむつ１は、着用者の肌を腹側の胴回りから、股、背側の胴回りにかけて覆う被覆部２と、該被覆部２における着用者側の部分に取付けられた、着用者の尿等の排泄液を吸収、保持する吸収体４を有する吸収構造体３とを備えている。
【００２２】
前記被覆部２は、全体として通気性を有する不織布等の素材により形成された、おむつ１の外装を形成するもので、腹側の胴回りを覆う腹側胴回り部５と、背側（臀側）の胴回りを覆う背側胴回り部６と、これら腹側胴回り部５と腹側胴回り部６との間に設けられた股部７とを有していて、腹側胴回り部５から背側胴回り部６の方向に長く形成されたものとなっている。
前記腹側胴回り部５及び背側胴回り部６は、着用者の腹側及び背側の胴回りをそれぞれ覆って、これらの腹側胴回り部５及び背側胴回り部６を相互に連結することにより、おむつ１を着用者に装着させることが可能となっている。さらに、前記股部７は、前記腹側胴回り部５及び背側胴回り部６よりも短手方向長さが小さく形成されていて、着用者の股回りにフィットするようになっている。
【００２３】
そして、前記吸収構造体４は、着用者の肌側に位置する液透過性シート１１と、該液透過性シート１１の一面側、即ちその液透過性シート１１における着用者の肌側とは反対側の面側に配設された液不透過性シート１２と、これらの液透過性シート１１と液不透過性シート１２との間に配設された、一方向に長い上記吸収体４とを備えている。
この吸収構造体３は、液不透過性シート１２と前記被覆部２の着用者の肌側の面とが、相互に密着した状態において、ホットメルト型接着剤等による接着等の各種接合手段によって接合されていて、これにより被覆部２に取付けられた状態となっている。
さらに、この吸収構造体３は、前記吸収体４と液不透過性シート１２との間に、該吸収体４の長手方向に長く延びる液拡散シート１３が配設されていて、吸収体４とこの液拡散性シート１３とは、相互に密着した状態において、液透過性を有する被覆シート１４によって共に被覆されている。
【００２４】
また、前記液透過性シート１１における着用者の肌側の面には、前記吸収体４の短手方向の両端側に沿って延びる一対の防漏壁１５，１５が設けられていて、これらの一対の防漏壁１５，１５が、着用時において着用者の股部分にフィットして、おむつ１の股部分から尿や軟便等の排泄液が漏れるのを防止できるようになっている。
なお、前記一対の防漏壁１５，１５は、前記液透過性シート１１の短手方向の両端側の一部を覆うように前記被覆部２における着用者の肌側の面に固定されたサイドシート１６，１６の、吸収体側の端部側に一体に設けられた態様となっている。
【００２５】
前記吸収体４は、パルプ等の吸水性材料と吸水性ポリマー等の高吸収性材料とを含んだもので、前記被覆部２における腹側胴回り部５から股部７を通って背側胴回り部６の方向に向けて、該被覆部２の着用者の肌側の面に沿うように長く延び、且つ一定の厚さを有した帯状に形成されている。したがって、この吸収体４は、着用者の腹側から股下、背側にかけて覆うように配置された態様となっている。
【００２６】
本発明において、前記吸収体を形成する吸水性材料としては、例えば、針葉樹又は広葉樹を原料として得られる木材パルプ（例えば、砕木パルプ、リファイナーグランドパルプ、サーモメカニカルパルプ、ケミサーモメカニカルパルプ等の機械パルプ；クラフトパルプ、サルファイドパルプ、アルカリパルプ等の化学パルプ；半化学パルプ等）；木材パルプに化学処理を施して得られるマーセル化パルプ又は架橋パルプ；バガス、ケナフ、竹、麻、綿（例えばコットンリンター）等の非木材パルプ；レーヨン、フィブリルレーヨン等の再生セルロース；アセテート、トリアセテート等の半合成セルロース等が挙げられるが、コストが低く、成形しやすいこと点から、粉砕パルプが好ましい。
【００２７】
前記高吸収性材料としては、例えば、デンプン系、セルロース系、合成ポリマー系の高吸水性材料が挙げられる。デンプン系又はセルロース系の高吸水性材料としては、例えば、デンプン−アクリル酸（塩）グラフト共重合体、デンプン−アクリロニトリル共重合体のケン化物、ナトリウムカルボキシメチルセルロースの架橋物等が挙げられ、合成ポリマー系の高吸水性材料としては、例えば、ポリアクリル酸塩系、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系等の高吸水性樹脂（Superabsorbent Polymer：ＳＡＰ）等が挙げられるが、これらのうちポリアクリル酸塩系（特に、ポリアクリル酸ナトリウム系）の高吸水性樹脂が好ましい。高吸水性材料の形状としては、例えば、粒子状、繊維状、鱗片状等が挙げられ、粒子状である場合、粒径は、好ましくは５０〜１０００μｍであり、さらに好ましくは１００〜６００μｍである。
【００２８】
なお、前記被覆シート１４としては、液体透過性及び吸収体保持性を有する限り特に限定されないが、低コスト性及び吸収体保持性の点から、粉砕パルプを主材料とし湿式法で成形されるティッシュが好ましい。
【００２９】
また、前記液透過性シート１１は、着用者の肌に接して該着用者の尿を素早く吸収し、前記吸収体４に移行させるもので、ホットメルト型接着剤による接着等の任意の接合手段により、前記吸収体４と、前記被覆シート１４を介して相互に接合されている。
この液透過性シート１１は、不織布、織布、液透過孔が形成された合成樹脂フィルム、網目を有するネット状シート等により形成されていて、前記吸収体の長手方向に沿う方向に長く延びた態様となっている。
なお、本発明において、この液透過性シートに用いられる不織布としては、例えば天然繊維（例えば羊毛、コットン等）、再生繊維（例えばレーヨン、アセテート等）、合成樹脂繊維（例えばポリエチレン、ポリプロピレン、ポリブチレン、エチレン−酢酸ビニル共重合体、エチレン−アクリル酸エチル共重合体、エチレン−アクリル酸共重合体、アイオノマー樹脂等のポリオレフィン；ポリエチレンテレフタラート、ポリブチレンテレフタラート、ポリブチレンテレフタラート、ポリ乳酸等のポリエステル；ナイロン等のポリアミド）等が挙げられる。
不織布には、芯鞘型繊維、サイド・バイ・サイド型繊維、島・海型繊維等の複合繊維；中空タイプの繊維、扁平、Ｙ型、Ｃ型等の異型繊維、潜在捲縮又は顕在捲縮の立体捲縮繊維；水流、熱、エンボス加工等の物理的負荷により分割する分割繊維等が混合されていてもよい。
【００３０】
一方、前記液不透過性シート１２は、排出された排泄液の透過を防止して外部に漏れ出るのを防止するものであり、ホットメルト型接着剤による接着等の任意の接合手段により、該吸収体４とは被覆シート１４を介して相互に接合されている。なお、液不透過性シート１２における吸収体４と反対側の面については、前述のように、前記被覆部２と接合されている。
この液不透過性シート１２は、全体として前記吸収体４よりも大きく形成されていて、該液不透過性シート１２における該吸収体４の長手方向及び短手方向に沿う長さは、この吸収体４の長手方向長さ及び短手方向長さよりも長くなっている。
なお、この液不透過性シートとしては、例えば、防水処理を施した不織布、合成樹脂（例えばポリエチレン、ポリプロピレン、ポリエチレンテレフタレート等）フィルム、耐水性の高いメルトブローン不織布を強度の強いスパンボンド不織布で挟んだＳＭＳ不織布等を用いることができる。
【００３１】
そして、前記液拡散シート１３は、前記吸収体４の長手方向に沿う方向に長く延びた平面視略矩形状のもので、この実施の形態においては、図１〜図３、図７に示すように、長手方向長さが吸収体４の長手方向長さよりも長く、且つ短手方向の長さが前記吸収体４の短手方向の長さよりも小さく形成されていて、この液拡散シート１枚を該吸収体４の短手方向の中心位置に配設している。
また、この液拡散シート１３は、吸収体側の面がホットメルト型接着剤による接着等の任意の接合手段により、吸収体１２に密着した状態で該吸収体４と相互に接合されていて、前述のように、被覆シート１４によりその吸収体４と共に被覆されている。なお、この液拡散シート１３と被覆シート１４とは、ホットメルト型接着剤による接着等の任意の接合手段により相互に接着されている。
【００３２】
なお、前記液拡散シート１３の短手方向の長さを、前記吸収体４の短手方向の長さよりも小さくしたのは、おむつの着用を容易にすると共に、脚の動かしやすさや、着用者に対するおむつのフィット性を阻害しないためである。また、液拡散シート１３の製造用の資材の使用量を抑えて、製造コストを低減させるためである。
【００３３】
一般に、前記液拡散シートは、液透過性シートや液不拡散シート、吸収体に比べてやや硬めで曲げにくいため、この液拡散シートが存在する部分は、存在しない部分に比べて変形させにくい傾向にある。これにより、吸収体と同等以上の短手方向長さを有している場合には、おむつ全体が変形しにくくなるため、おむつの着用の際には必要な変形をさせにくくなり、おむつを着用者に着用させづらくなる。また、着用後においても、おむつが着用者の体にフィットしづらくなったり、着用者が脚を自由に動かしづらくなったりする可能性がある。
一方、液拡散シート自体は、吸収性や拡散性を確保するため、製造に非常に手間がかかる上、材料も比較的高価であることから、吸収体と同等以上の短手方向長さを確保しようとすると、製造コストが嵩むことが考えられる。
そのため、この実施の形態においては、前記液拡散シートの短手方向の長さを、前記吸収体の短手方向の長さよりも小さくして、おむつの着用の容易性や、脚の動かしやすさや、着用者に対するおむつのフィット性等を確保すると共に、液拡散シートの製造用の資材の使用量を抑えて製造コストの低減を図っている。
【００３４】
また、前記液拡散シート１３を、吸収体４の短手方向の中心位置に配設したのは、着用者から排泄された排泄液を、吸収体４の腹側や背側に効率良く拡散させるためである。
即ち、おむつ着用時において、着用者からの排泄液は、主に吸収体の短手方向のほぼ中心位置に排泄されることから、液拡散シートを吸収体の短手方向の中心位置に配設することにより、該液拡散シートが排泄液を効率良く拡散させることが可能となる。
【００３５】
ここで、本発明においては、前記液拡散シートとして、セルロース繊維を主原料とし、その他叩解パルプを含む不織布が用いられ、特に湿式スパンレース不織布が好適である。
なお、この場合、前記叩解パルプはフィブリル化されていることが好ましい。なお、本発明において「フィブリル化」とは、繊維の本体部分の表面から、サブミクロンサイズの繊維径を有するマイクロファイバー部分が部分的に剥離しかつ繊維の本体部分の表面から延びていることを意味する。
【００３６】
本発明において、前記液拡散シートに含まれるセルロース繊維としては、特に制限されないが、例えば、天然セルロース、再生セルロース、半合成セルロース等が挙げられる。
前記天然セルロースとしては、パルプ、例えば、針葉樹又は広葉樹を原料として得られる木材パルプ（例えば、砕木パルプ、リファイナーグランドパルプ、サーモメカニカルパルプ、ケミサーモメカニカルパルプ等の機械パルプ；クラフトパルプ、サルファイドパルプ、アルカリパルプ等の化学パルプ；半化学パルプ等）；木材パルプに化学処理を施して得られるマーセル化パルプ又は架橋パルプ；バガス、ケナフ、竹、麻、綿（例えばコットンリンター）等の非木材パルプ等が挙げられる。
上記再生セルロースとしては、レーヨン、例えば、ビスコースから得られるビスコースレーヨン，ポリノジック及びモダール、セルロースの銅アンモニア塩溶液から得られる銅アンモニアレーヨン（「キュプラ」とも称される）；有機化合物及び水の混合溶液である有機溶剤を用いた有機溶剤紡糸法によって得られ、セルロース誘導体を経ないリヨセル及びテンセル等が挙げられる。
半合成セルロースとしては、例えば、アセテート繊維、例えば、トリアセテート及びジアセテートが挙げられる。
【００３７】
なお、これらの天然セルロースとしてパルプを、再生セルロースとしてレーヨンを使用した場合において、これらのパルプとレーヨンの混合割合は、レーヨンを１０〜７０質量部とすることが好ましく、さらに１５〜６５質量部とすることが好ましい。また、前記セルロース繊維と叩解パルプとは、６０〜９０質量部と１０〜４０質量部との比率において含むことが好ましく、さらに好ましくは６５〜７５質量部と２５〜３５質量部との比率（ただし、セルロース繊維と叩解パルプの合計が１００質量部を越えない。）において含むことである。
【００３８】
また、前記液拡散シート１３は、坪量が２０〜７０ｇ／ｍ2に設定されている。この液拡散シート１３の坪量をこの範囲とすることにより、吸収体と液拡散シートとの間で密度の差が生じ、吸収体から液拡散シートへの排泄液の移行がよりスムーズになる。しかも、後述するように、密度との関係で毛管をより多く形成することができるため、液の拡散を効率的に行うことが可能となる。
前記液拡散シートの坪量が２０ｇ／ｍ2未満となると繊維量が減る事で毛細管形成量が不十分で液輸送量・距離共に短くなり、７０ｇ／ｍ2を越えると繊維量が多くなりすぎ、資材硬さが目立ってしまうことで装着性に不具合が生じる。
なお、前記液拡散シート１３の坪量については、さらに好ましくは３０〜６０ｇ／ｍ2とすることであり、より好ましくは、３５〜５５ｇ／ｍ2とすることである。
【００３９】
さらに、前記液拡散シート１３は、約５０〜２８０ｍｇ／ｃｍ3の密度を有し、好ましくは６０〜２００ｍｇ／ｃｍ3の密度を有している。
前記液拡散シート１３の密度をこの範囲とすることにより、液拡散シート内の繊維間に吸収した排泄液を拡散させるために好適な毛管を多く形成することができる。これにより、液拡散シートは、排泄液の毛管移動を一層効果的に行わせて、液拡散性がより高まると考えられる。
一方で、密度が２８０ｍｇ／ｃｍ3を超えると、液拡散シート内の空隙が少なくなりすぎて毛管が形成されにくくなるため、液拡散性が低下する。逆に、密度が５０ｍｇ／ｃｍ3未満となると、液拡散シート内の空隙は多くなるものの、毛管現象が生じにくくなるため、排泄液の移動が鈍くなり、やはり液拡散性が低下する。
【００４０】
また、前記液拡散シート１３は、クレム法による吸水度試験において、人工尿の５分後の吸液高さが、１２０ｍｍ以上とすることが好ましく、より好ましくは１３５ｍｍ以上、さらに好ましくは１４０ｍｍ以上である。さらに、吸水倍率は、２．０倍以上であることが好ましく、より好ましくは２．６倍以上であり、さらに好ましくは３．０倍以上である。
前記吸液高さが小さすぎると、吸収体を効率よく濡らすことができない。また、吸水倍率が小さすぎると、吸収コアを形成するパルプ／高吸水性ポリマーに効率よく液を移行させることができない。
なお、クレム法による吸水度試験は、ＪＩＳ  Ｐ  ８１４１：２００４に従って行う。
【００４１】
通常、紙は、抄紙（熱融着性繊維、バインダー含む）、乾燥、所望により熱圧着等の工程を経て製造されるので、均一断面構造となり、一般的に、密度が小さくなると、繊維間空隙が大きくなり、毛管径が大きくなると考えられる。また、吸上げ高さは小さくなり、吸上げ量は増加すると考えられる。
しかしながら、前記液拡散シートを、前述のように湿式スパンレース不織布した場合、この湿式スパンレース不織布は、抄紙、ウォータージェット、乾燥工程を経ることによって、すでに疎密構造をとっている（水流絡合による交絡部が密の状態となる）。その後の乾燥工程によって、水流絡合部以外での嵩の状態により、不織布全体の嵩が出て疎の部分を形成する。
したがって、湿式スパンレース不織布を用いた液拡散シートにおいては、すでに疎密構造ができているため、疎である交絡部の間が低密度化されると、吸上げ量が大きくなると同時に、密である交絡部は、交絡部間から液の供給が行われて、より吸上げ高さが大きくなると考えられる。
【００４２】
ここで、前記液拡散シート１３は、該液拡散シート１３の長手方向の両端側に、前記吸収体４の長手方向の端部より該吸収体４の外方側に延びて、液拡散シート１３に含まれている水分を外部に蒸散させる蒸散部２０，２１をそれぞれ備えている。
即ち、この液拡散シート１３は、長手方向の長さが前記吸収体４の長手方向の長さよりも長く形成されていると共に、長手方向の両端側が吸収体４の長手方向の両端部、即ち、吸収体４における腹側から該吸収体の外方にそれぞれ延出した状態となって、それらの延出した部分が腹側の蒸散部２０と背側の蒸散部２１となっている。したがって、これらの蒸散部２０，２１自体は、前記吸収体４とは全く接触しておらず、各蒸散部２０，２１は吸収体４との直接的な接触による水分の付着は生じない。
【００４３】
前記液拡散シート１３の長手方向の端部に前記蒸散部２０，２１を形成したのは、液拡散シート１３の排泄液の吸収・拡散能力を早期に回復させるためである。
即ち、既に述べたように、前記液拡散シートにより吸収体の腹側や背側に向けて排泄液を拡散させ続けると、液拡散シートから吸収体に移動する排泄液の量が次第に少なくなり、液拡散シートが保持している排泄液の吸収体への吸収速度が低下するため、液拡散シートの吸収・拡散能力の回復が遅くなる。
この場合において、吸収体の中で排泄液の吸収、保持に使用されている部分は、該吸収体の腹側や背側における液拡散シートと接している部分あるいはその近傍部分のみで、吸収体のより内部側の部分は排泄液の吸収、保持にあまり使用されていないのが実情である。そのため、吸収体全体としては、排泄液の吸収・保持能力にはまだ余力がある場合が多い。
したがって、吸収体全体を排泄液の吸収・保持に有効に使用するためには、液拡散シートが保持している排泄液を吸収体の内部側にまで順次移動させて、液拡散シートの吸収・拡散能力をできるだけ早期に回復させることにより、吸収体の腹側や背側に排泄液を順次拡散、吸収させることができる状態を維持させるのが理想的である。
【００４４】
しかしながら、上述のように、吸収体が保持している排泄液の量が多くなってくると、液拡散シートから吸収体に移動する排泄液の量や移動速度は低下するため、液拡散シートの吸収・拡散能力の回復は次第に遅くなるのが実情である。
一方で、前記おむつは、着用時においては、着用者の腹回りや、太もも回りあるいは股回り（足ぐり）は肌に密着しているため、通常、着用者から排泄液の排出により、着用者とおむつとの間（特に着用者と液不透過性シートとの間）の内部空間は湿度が大幅に上昇し、湿気がこもった状態となる。この場合には、液拡散シートがその湿気を吸収してしまい、液拡散シートの吸収・拡散能力の回復が阻害される可能性がある。
そうすると、液拡散シートは、吸収・拡散能力の回復がかなり遅くなる、あるいはほとんど回復しなくなる可能性があり、実質的に、排泄液を順次拡散、吸収させることができる状態を維持させることが困難となる。
【００４５】
そのため、本発明においては、液拡散シートにおける吸収体の長手方向に沿う方向の端部に、該吸収体の長手方向の端部から延出した蒸散部を設けて、該蒸散部を通じて液拡散シートが含んでいる水分を外部に拡散可能な構成としている。これにより、液拡散シートの吸収、拡散能力の回復を促進させて、排泄液を順次吸収、拡散させることが可能な状態を可及的に維持できるようにしている。
【００４６】
ところで、前記液透過性シート１１は、前記吸収体４の長手方向に沿う方向の両端側、即ち、前記被覆部２の腹側胴回り部側５側と背側胴回り部６側との各端部に、前記吸収体４の長手方向の端部より該吸収体４の外方側に延びる延出領域２５，２６をそれぞれ備えている。
この実施の形態においては、前記液透過性シート１１の長手方向の長さが、該吸収体４の長手方向の長さよりも長く形成されていて、この液透過性シート１１における吸収体４の長手方向の両端部から延出した各部分、即ち該液透過性シート１１の長手方向の両端側に各々形成された、前記吸収体４と接触しない部分が、それぞれ前記延出領域２５，２６となっている。
なお、前記液透過性シート１１と液拡散シート１３とは、長手方向の両端部の位置が相互にほぼ一致する長さにそれぞれ形成されていて、腹側の蒸散部２０は腹側の延出領域から、背側の蒸散部２１は背側の延出領域２６からそれぞれ突出することなく、各延出領域２５，２６の範囲内に収まった状態となっている。
【００４７】
また、前記延出領域２５，２６は、前記液拡散シート１３の蒸散部２０，２１とは相互に接合されていて、該蒸散部２０，２１との接触部分において、その蒸散部２０，２１から蒸散された水分を吸収あるいは透過させ、最終的にはその水分をおむつの外方に放出させることが可能となっている。
一方で、これらの延出領域２５，２６は、前記蒸散部２０，２１と接触する部分においては、前記吸収体４とは接触しない状態となっていて、したがって、各蒸散部２０，２１と接触する部分においては、吸収体４との直接的な接触による水分の付着が生じないようになっている。
なお、これらの延出領域２５，２６と蒸散部２０，２１とは、ホットメルト型接着剤による接着により相互に接合されていて、前記蒸散部２０，２１は、これらの延出領域２５，２６と重複した状態で前記液不透過性シート１２に接合されている。
【００４８】
さらに、図１及び図７に示すように、前記延出領域２５，２６は、前記吸収体４の厚みの分だけ前記液拡散シート１３の蒸散部２０，２１側に寄った状態でこれらの該蒸散部２０，２１とそれぞれ接合されている。したがって、おむつ１を着用した場合には、着用者と液透過性シート１１の延出領域２５，２６における着用者の肌側は、吸収体４の厚みｔの分だけ空間２８，２９が形成されるようになっている。
これにより、前記蒸散部２０，２１から蒸散される水分を、この着用者と延出領域２５，２６における着用者の肌側の面との間に形成された、吸収体４の厚み分の空間２８，２９を通しておむつ１の外部に放出し易くし、該蒸散部２０，２１による水分の蒸散の促進が図られるようにしている。この結果、液拡散シート１３の吸収、拡散能力を効率良く且つ回復させることが可能となる。
【００４９】
また、前記液拡散シート１３の蒸散部２０，２１と、前記液透過性シート１１の延出領域２５，２６とは、上述したホットメルト型接着剤等による接合とは別に、エンボス加工による接合が行われていて、相互に密着した状態で接合がなされている。
具体的に、前記液拡散シート１３の蒸散部２０，２１と、前記液透過性シート１１の延出領域２５，２６とは、対向する面を相互に当接させた状態において、エンボス加工によりこれらの腹側の蒸散部２０と腹側の延出領域２５との厚さ方向、及び背側の蒸散部２１と背側の延出領域２６の厚さ方向にそれぞれ圧縮させて、これらの蒸散部２０，２１と延出領域２５，２６とを圧着させている。
これにより、前記蒸散部２０，２１と延出領域２５，２６との分離を防止して、蒸散部２０，２１において蒸散された水分を延出領域２５，２６を通じて安定的に放出できるようにしている。さらには、着用者の汗等の少量の水分が延出領域２５，２６に付着した場合には、その水分を該延出領域２５，２６から蒸散部２０，２１に効率良く移動、吸収させて、液透過性シート１１への液戻り（リウェット）を抑え、汗等による着用者への不快感を抑制できるようにしている。
【００５０】
なお、前記エンボス加工に用いられるエンボスパターンについては、特に限定はないが、例えば、平面視格子状（エンボス加工時、略矩形の枠状の部分が凹部、該凹部に囲まれた部分が凸部となる。）のパターンや、点状のパターン等を用いることができる。
【００５１】
さらに、前記液透過性シート１１は、該液透過性シート１１における前記吸収体４とは反対側の面に、該吸収体４とは反対側の方向に立ち上がり、複数の隆起部１１ａと、隣り合う隆起部１１ａ，１１ａの間に設けられた複数の凹部１１ｂとを備えている。
この実施の形態においては、前記複数の隆起部１１ａは、いずれも、前記吸収体４の長手方向に沿う方向に延びた構成となっていて、隣り合う隆起部１１ａと一定の間隔を空けた状態で配設されている。また、前記凹部は、隣り合う隆起部１１ａ，１１ａの間に形成された、前記吸収体４の長手方向に沿う方向に延びる溝状のものとなっている。
したがって、前記隆起部１１ａ及び凹部１１ｂが形成されている、液透過性シート１１における着用者の肌側の面には、全体として吸収体４の短手方向に向かって凹凸が交互に連続して形成されたものとなっている。
そして、おむつ１を着用した際には、前記隆起部１１ａの頂部が着用者の肌に当接する一方で、前記凹部１１ｂは、少なくとも一部は着用者の肌とは当接することなく該着用者の肌との間に空間を形成し、着用者とおむつ１との間の内部空間と、おむつ１の外部とを連通する空気の通り道となる。
なお、この実施の形態では、前記隆起部１１ａは、着用者の肌側の方向に行くに従って先細り、頂部が緩やかに湾曲した断面形状となっている。また、前記凹部は、その底部が、緩やかに湾曲した断面に形成されている。
【００５２】
ここで、この液透過性シート１１における着用者の肌側の面に前記隆起部１１ａ及び凹部１１ｂを形成したのは、おむつ１と着用者の肌との間の内部空間と、おむつ外部との間で通気を可能として、該内部空間の湿気をできるだけおむつ１の外部に放出できるようにするためである。
具体的に説明すると、着用者がおむつを着用した場合には、液透過性シートは着用者の肌に当接すると共に、おむつの被覆部における腹側胴回り部及び背側胴回り部は、ある程度着用者を締め付けるように該着用者に密着するのが通常である。そうすると、何も対策を講じない場合には、着用者からの排泄液、あるいは汗等の水分による湿気が、おむつと着用者の肌との間の内部空間内に滞留し続けるため、湿度が著しく高くなって着用者の肌が蒸れてしまう可能性がある。
一方で、前記液拡散シートの蒸散部から蒸散される水分は、大部分が液拡散シートを通じて外部に放出されることとなる。このとき、液透過性シートの着用者の肌側の面が該着用者に密着している場合、何らの対策を講じないと、せっかく蒸散部から蒸散させた水分が、おむつの外部に放出されることなく再度おむつと着用者の肌との間の内部空間にこもってしまう可能性がある。
そのため、本発明においては、前記隆起部及び凹部によって、おむつ着用時に、着用者の肌とおむつとの間の内部空間と、該おむつ外部のとの間に、常時通気できる気体の通り道を形成することにより、前記内部空間内の湿気や、液拡散シートの蒸散部から蒸散される水分を、確実におむつの外部に放出できるようにしている。
【００５３】
なお、前記液透過性シート１１に隆起部１１ａ及び凹部１１ｂを形成する場合には、任意の手法を用いることができるが、例えば、一対のエンボスロールを用いたエンボス加工によって形成することができる。この場合、一方のエンボスロールの外周面には、前記隆起部１１ａ及び凹部１１ｂを形成する、周方向に延びる凹部及び凸部が交互に配設されて、外周面が平坦な他方のエンボスロールとの間に、両面が平坦な液透過性シートを通すことにより、該液透過性シートに前記隆起部及び凹部を連続的に形成することができる。
あるいは、一定の方向に連続的に搬送している液透過性シートの一面側に対して、一定の間隔に配設したノズルから加熱したエアを連続的にジェット噴射して、該液透過性シートの一面側の繊維を液透過性シートの搬送方向と直交する方向に掻き分けることにより形成することができる。このとき、液透過性シートの一面において、エアが当たった部分が前記凹部、隣接する凹部間において、掻き分けられた繊維が積層して隆起した部分が前記隆起部となる。
【００５４】
また、前記液不透過性シート１２は、透湿度が３００ｇ／ｍ2・２４ｈ以上となっていて、液体は透過させないが、気体となった水分、即ち水蒸気について透過させることが可能となっている。
これにより、前記蒸散部２０，２１を含めて液拡散シート１３が含有している水分のうちの蒸散した水分（水蒸気）の一部については、液不透過性シート１２を透過させ、その水蒸気を前記被覆部２を通しておむつの外方に放出することができるようになっている。
これにより、液透過性シートが含有している水分の蒸散が促され、該液透過性シートの排泄液の吸収・拡散能力をより早期に回復させることができる。
ここで、この液不透過性シートの透湿度が３００ｇ／ｍ2・２４ｈ未満であると、液透過性シートにおいて蒸散した水分が透過しにくくなり、該液不透過性シートを透過させることよるおむつ外方への水分の放出が困難となる。
この液不透過性シートの透湿度については、２０００ｇ／ｍ2・２４ｈ以上とすることが好ましい。また、透湿度の上限については、液体は透過させないが水蒸気は透過させる範囲であれば、特に限定されない。
なお、この透湿度の測定は、ＪＩＳ  Ｚ  ０２０８の透湿度試験方法に準拠して行う。
【００５５】
さらに、前記吸収構造体３には、前記液拡散シート１３の背側の蒸散部２１及び前記液透過性シート１１の背側の延出領域２６のそれぞれに、液拡散シート１３及び液透過性シート１１の略長手方向に延びる襞状部３１，３２が形成されている。
具体的に、前記背側の蒸散部２１には、該背側の蒸散部２１を交互に逆方向に、即ち交互に前記液透過性シート１１側の方向と液不透過性シート１２側の方向に曲げることにより形成された、前記液拡散シート１３の長手方向に延びる複数の蒸散部側襞状部３１が設けられている。
一方、前記背側の延出領域２６には、該背側の延出領域２６を交互に逆方向に、即ち交互に着用者の肌側の方向と液不透過性シート１２側の方向に曲げることにより形成された、前記液透過性シート１１の長手方向に延びる複数の延出領域側襞状部３２が設けられている。
【００５６】
上述のように、この実施の形態においては、前記背側の蒸散部２１と背側の延出領域２６とが相互に結合されていることから、図６に示すように、これらの背側の蒸散部２１と背側の延出領域２６とが結合されている部分においては、蒸散部２１及び延出領域２６が重複した状態で一体的に交互に曲げられる。
したがって、背側の蒸散部２１と背側の延出領域２６とが接触している部分では、前記蒸散部側襞状部３１及び延出領域側襞状部３２は重複した状態で一体的に形成された状態となっている。
なお、前記蒸散部側襞状部３１は背側の蒸散部２１全体に、延出領域側襞状部３２は背側の延出領域２６全体に形成されている。したがって、前記背側の延出領域２６については、前記背側の蒸散部２１と接触していない部分においても延出領域側襞状部３２が形成されている。
【００５７】
前記蒸散部側襞状部を設けたのは、隣接する蒸散部側襞状部との間（この実施の形態の場合は、実質的には、隣接する延出領域側襞状部３２，３２の間）に空間を形成することにより、蒸散部における着用者の肌側の面（即ち液透過性シート側の面）全体を、着用者の肌に沿わせないようにするためである。
即ち、前記液拡散シートが排泄液を吸収して拡散させた場合には、蒸散部も水分を含んで湿った状態となるが、この湿った蒸散部の着用者の肌側の面が着用者の肌に沿っていると、水分が液透過性シートを介して着用者の肌に接触する可能性がある。特に、蒸散部は、おむつの着用時、前記被覆部に設けられた後述するファスニングテープがターゲットテープに止着されていて、腹側胴回り部や背側胴回り部から着用者の肌側に押圧されるため、該蒸散部が含んでいる水分が着用者の肌に接触して蒸れることが考えられる。
そのため、この実施の形態においては、前記背側の蒸散部２１に蒸散部側襞状部３１を設けて、該蒸散部２１の着用者の肌側の面が、着用者の肌に面として沿わないようにして、着用者の肌の蒸れを可及的に押さえるようにしている。
【００５８】
また、前記蒸散部側襞状部を設けた他の理由は、隣接する蒸散部側襞状部の間に形成される空間を利用して、蒸散部において蒸散させた水分を効率良くおむつの外方に放出させるためである。
一方で、前記延出領域側襞状部を設けたのは、隣接する延出領域側襞状部の間に形成される空間を利用して、蒸散部において蒸散させた水分のおむつの外方への放出を促進すると共に、着用者の肌とおむつとの間の内部空間とおむつの外部との間の通気を確保して、該内部空間内の湿気を直接的におむつの外部に放出させるためである。
【００５９】
この実施の形態においては、図１及び図２に示すように、前記液透過性シート１１の背側の延出領域２６と、前記液不透過性シート１２における該背側の延出領域２６に当接する領域との間に、これら液透過性シート１１及び液不透過性シート１２の短手方向に長く延びる、伸縮自在の弾性部材３３が配設されている。そして、この弾性部材３３の軸線方向の弾性的な伸縮利用して前記蒸散部側襞状部３１及び延出領域側襞状部３２の両方を形成した構成となっている。
具体的には、前記弾性部材３３を伸長させた状態で液透過性シート１１の背側の延出領域２６及び液拡散シート１３の背側の蒸散部２１と、液不透過性シート１２との間に固定し、その後この弾性部材３３を収縮させている。そして、この弾性部材３３が非伸長状態に収縮すると、前記背側の蒸散部２１及び前記背側の延出領域２６、さらには液不透過性シート１３におけるこれらの蒸散部２１及び延出領域２６に当接する部分に皺が寄るため、これによって前記蒸散部側襞状部３１及び延出領域側襞状部３２の両方が形成された態様となっている。このとき、前記液不透過性シート１２、及び該液透過性シート１２と接合されている被覆部２についても、前記弾性部材３３が設置された範囲及びその近傍においては、前記蒸散部側襞状部３１及び延出領域側襞状部３２と一体的に襞状部が形成される。
なお、前記弾性部材３３としては、ポリウレタンフォーム、合成ゴムフォーム、ポリスチレンフォーム等の素材により形成された、弾性的に伸縮可能なシート状のものや、弾性的に伸縮可能なウレタンフィルム等を用いることができる。
【００６０】
また、前記被覆部２には、前記腹側胴回り部５又は背側胴回り部６のうちのいずれか一方側に設けられた、前記吸収体４の短手方向の外側に向けて延出させたファスニングテープ３５，３５と、他方側に設けられた、該ファスニングテープ３５，３５が着脱自在に止着されるテーゲットテープ３６とを有している。
この実施の形態においては、前記背側胴回り部６における吸収体４の短手方向に沿う両端側に、前記ファスニングテープ３５，３５がそれぞれ設けられている一方で、前記腹側胴回り部５の外面側にターゲットテープ３６が設けられている。
前記ファスニングテープ３６は、前記腹側胴回り部５のターゲットテープ３６と当接する側に、複数の小さなフック（図示せず）が設けられていて、これらのフックが前記ターゲットテープ３６の繊維に引っかかることにより、これらのファスニングテープ３５．３５とターゲットテープ３６とが着脱自在に連結されるようになっている。
なお、前記ターゲットテープ３６は、前記腹側胴回り部５における前記液拡散シート１３の腹側の蒸散部２０の位置と重複する位置に配設されている。
【００６１】
ここで、前記ターゲットテープ３６は通気性に優れた不織布により形成されている。
前記ターゲットテープ３６を不織布により形成したのは、前記被覆部２におけるこのターゲットテープ３６を配置した部分の通気性を確保するためである。
上述のように、この実施の形態においては、前記吸収構造体３の液不透過性シート１２の透過度を３００ｇ／ｍ2・２４ｈ以上とし、前記液拡散シート１３が吸収して蒸散させた水分を該液不透過性シート１２及び被覆部２を通しておむつ１の外部に放出できるようにしている。
しかしながら、被覆部の外面側にターゲットテープが存在することにより、該ターゲットテープが配設された位置において被覆部の通気性が損なわれると、蒸散させた水分がおむつの外方に放出されなくなる可能性がある。特に、ターゲットテープが配設される位置は、前記ファスニングテープによって被覆部の腹側胴回り部及び背側胴回り部が着用者の胴回りに圧着した状態となり、また前記液拡散シートの蒸散部が位置する部分でもあるため、蒸れを抑え且つ蒸散部からの水分の蒸散を阻害しないために、ターゲットテープ自体についても通気性を確保する必要がある。
そのため、この実施の形態においては、前記ターゲットテープ３６を通気性に優れた不織布によって形成し、被覆部２の通気性が確保されるようにしている。
【００６２】
なお、前記ターゲットテープ３６を形成する不織布を構成する繊維としては、例えば天然繊維（例えば羊毛、コットン等）、再生繊維（例えばレーヨン、アセテート等）、合成樹脂繊維（例えばポリエチレン、ポリプロピレン、ポリブチレン、エチレン−酢酸ビニル共重合体、エチレン−アクリル酸エチル共重合体、エチレン−アクリル酸共重合体、アイオノマー樹脂等のポリオレフィン；ポリエチレンテレフタラート、ポリブチレンテレフタラート、ポリブチレンテレフタラート、ポリ乳酸等のポリエステル；ナイロン等のポリアミド）等が挙げられる。不織布には、芯・鞘型繊維、サイド・バイ・サイド型繊維、島／海型繊維等の複合繊維；中空タイプの繊維；扁平、Ｙ型、Ｃ型等の異型繊維；潜在捲縮又は顕在捲縮の立体捲縮繊維；水流、熱、エンボス加工等の物理的負荷により分割する分割繊維等が混合されていてもよい。
【００６３】
上記構成を有する吸収性物品としてのおむつ１は、図８に示すように、着用者から排泄液が排出されると、その排泄液を、液透過性シート１１を通して股部分の吸収体４において吸収するが、このときに吸収しきれなかった排泄液は液不透過性シート１２側に達するため、液拡散シート１３によって吸収させる。そして、この液拡散シート１３に吸収された排泄液は、毛管現象により該液拡散シート１３を移動し始める。このとき、液拡散シート１３に吸収された排泄液は、該液拡散シート１３の長手方向についても重力に関係なく移動、拡散し、最終的には吸収体４の腹側や背側において該吸収体４に吸収、保持されることとなる。
【００６４】
このとき、前記液拡散シート１３は、長手方向の両端側に、前記吸収体４の長手方向の端部より該吸収体４の外方側に延びて、液拡散シート１３に含まれている水分を外部に蒸散させる蒸散部２０，２１を備えていため、この液拡散シート１３は、これらの蒸散部２０，２１を通じて、含有している水分のほとんどを吸収体ではなく外部に放出することができる。
これにより、着用者とおむつ１の液不透過性シート１２との間の内部空間の環境に左右されることなく、液拡散シート１３が含んでいる水分を、前記蒸散部２０，２１を通じておむつ１の外部に放出することができるため、液拡散シート１３の吸収・拡散能力を早期に回復させることができる。
【００６５】
しかも、前記液透過性シート１１は、該液透過性シート１１における前記吸収体４とは反対側の面に設けた、吸収体４の長手方向に沿う方向に延びる複数の隆起部１１ａと、隣接する隆起部１１ａ，１１ａの間に設けられた複数の凹部１１ｂとにより、おむつ１の着用時においては、前記隆起部１１ａが着用者の肌に接する一方、前記凹部１１ｂは着用者の肌とおむつ１の間の内部空間を、おむつ外部に連通させる空間となる。
したがって、着用者の肌とおむつ１の間の内部空間と、おむつの外部との通気を確保することができる上、前記蒸散部２０，２１において蒸散された水分の外部への放出を一層効率よく行わせることができ、これにより、液拡散シート１３における排泄液の吸収、拡散能力をより効果的に且つ早期に回復させることができる。
【００６６】
この結果、液拡散シート１３が排泄液を吸収・拡散できる状態を安定的に維持することができ、排泄液の吸収・保持について吸収体４全体を有効に使用することが可能となる。
【００６７】
前記実施の形態においては、前記液拡散シート１３の長手方向の両端側に蒸散部２０，２１を備えたものとなっているが、この蒸散部は、必ずしも長手方向の両端側に設ける必要はなく、少なくとも液拡散シートの長手方向の少なくとも一端側に設けられていればよい。
さらに、前記実施の形態においては、液拡散シート１３として、長手方向長さが吸収体４の長手方向長さよりも長いものを１枚用いた態様となっているが、この液拡散シートは複数配置してもよい。
【００６８】
また、前記液拡散シート１３は、必ずしも吸収体４の長手方向にわたって連続するものを用いる必要はなく、長手方向長さが吸収体の長手方向長さよりも短い液拡散シートを複数枚用い、各液拡散シートの長手方向の一端側を蒸散部として、吸収体の長手方向の端部より該吸収体の外方側に延出させるようにしてもよい。
この場合、例えば、長手方向長さが吸収体の長手方向長さよりも短い２枚の液拡散シートを、短手方向の中心の位置に、相互に離間した状態で吸収体の腹側及び背側にそれぞれ配置して、腹側の液拡散シートについては蒸散部を吸収体の長手方向腹側の端部から延出させる一方、背側の液拡散シートについては蒸散部を吸収体の長手方向背側の端部から延出させた態様とすることができる。これにより、各液拡散シートは、排泄液をそれぞれ拡散させると共に、各蒸散部で水分を蒸散することができるため、前記実施の形態と同様の効果を得ることができる。ただし、各液拡散シートについては、蒸散部が存在した側の長手方向の端部は、吸収体において排泄液が大量に排出される部分、即ち股部分あるいはその近傍に位置させることが肝要である。
【００６９】
さらに、前記実施の形態においては、前記液拡散シート１３の蒸散部２０，２１と、液透過性シート１１の延出領域２５，２６とを接合しているが、これらの蒸散部と延出領域とは必ずしも接合する必要はない。また、蒸散部と延出領域とをエンボス加工によって相互に接合する必要はなく、これらの蒸散部と延出領域とをエンボス加工によって圧着しなくてもよい。
【００７０】
また、前記実施の形態については、前記液拡散シート１３の背側の蒸散部２１と液透過性シート１１の背側の延出領域２６とに、それぞれ蒸散部側襞状部３１、液透過性シート側襞状部３２を形成しているが、これらの襞状部については、腹側の蒸散部や腹側の延出領域に設けてよく、あるいは襞状部を設けなくてもよい。さらに、前記襞状部は、蒸散部のみあるいは延出領域のみに設けた態様としてもよい。
【００７１】
前記実施の形態においては、液不透過性シート１２として、透過度が３００ｇ／ｍ2・２４ｈのものを用いているが、透過度については、蒸散させた水分を透過できる一方で液体を透過しない範囲であれば、任意の透過度とすることができる。あるいは、液不透過性シートについては、必ずしも蒸散させた水分を透過させることができるものでなくてもよい。
【００７２】
前記実施の形態においては、液拡散シート１３が、湿式のスパンレース不織布により形成されているものを用いているが、この液透過性シートは、排泄液を拡散させることができるものであれば、乾式のスパンレース不織布やティッシュ等であってもよい。
また、液拡散シートについては、排泄液を確実且つ安定的に吸収、拡散することができれば、坪量や、クレム法による吸水度試験での吸液高さや吸水倍率等は任意に設定することができる。
【００７３】
前記実施の形態においては、前記液透過性シート１１の隆起部１１ａは、いずれも、前記吸収体４の長手方向に沿う方向に延びた構成とし、前記凹部は、隣り合う隆起部１１ａ，１１ａの間に形成された、前記吸収体４の長手方向に沿う方向に延びる溝状のものとしている。
しかしながら、前記隆起部については、必ずしも吸収体の長手方向に沿う方向に延びた構成ある必要はなく、例えば平面視（液透過性シートにおける着用者の肌側から見た状態）において、略円形状や略楕円状、あるいは略四角形や六角形等の各種多角形状等の各種形状とすることができる。
一方、前記凹部は、隣り合う隆起部１１ａ，１１ａの間に設けられたものであって、隆起部の頂部が着用者の肌に接した際に、少なくとも一部が着用者の肌とは当接することなく該着用者の肌との間に空間を形成して、着用者とおむつとの間の内部空間と、おむつの外部とを連通する空気の通り道となり得る構成であれば、任意の構成とすることができる。例えば、前記隆起部が平面視略円形状である場合には、該隆起部の周囲を取り囲むように凹部が形成されていてもよい。
【００７４】
また、前記実施の形態では、吸収性物品として、ファスニングテープをターゲットに止着することにより着用する展開型のおむつの場合について説明したが、本発明の吸収性物品は、パンツ型のおむつであってもよく、またおむつ以外に、生理用ナプキンや失禁パッド等の各種吸収性物品であってもよい。
【符号の説明】
【００７５】
１    吸収性物品（使い捨ておむつ）
２    被覆部
３    吸収構造体
４    吸収体
５    腹側胴回り部
６    背側胴回り部
７    股部
１１    液透過性シート
１１ａ    隆起部
１１ｂ    凹部
１２    液不透過性シート
１３    液拡散シート
２０，２１    蒸散部
２５，２６    延出領域
３１，３２    襞状部
３５    ファスニングテープ
３６    ターゲットテープ
【図１】
2015066374.tif 000003
【図２】
2015066374.tif 000004
【図３】
2015066374.tif 000005
【図４】
2015066374.tif 000006
【図５】
2015066374.tif 000007
【図６】
2015066374.tif 000008
【図７】
2015066374.tif 000009
【図８】
2015066374.tif 000010